(57)【要約】【課題】十分な強度を有し、腐食に強く、かつ安価な汚泥かき寄せ機、無端チェーン及びチェーンリンクを提供すること。【解決手段】汚泥かき寄せ機であって、一対の無端チェーンと、前記無端チェーンを循環駆動させることによって前記池底に沈した汚泥をフライト体により掻き寄せる主務スプロケットホイール及び従動スプロケットホイールとを備え、複数のチェーンリンクは、各々、連結軸を挿入するための第１の貫通孔（ボス）を有する筒状の基部と、基部の両端から長手方向に対し垂直方向に左右対称に各々延在する一対のプレート部とを備え、プレート部は、各々基部とは反対側に連結軸を挿入するための第２の貫通孔（ボス）と、第２の貫通孔の周囲を取り囲むようにして、プレート部同士が対向する内側主面に対して垂直方向に隆起した第１のリブ部を有することを特徴とする汚泥かき寄せ機。【選択図】図１
2018099688.tif 000002
【特許請求の範囲】
【請求項１】
長尺のフライト体を、その長手方向に対して垂直な方向に走行させて、沈殿池の池底に堆積する汚泥を掻き寄せる汚泥かき寄せ機であって、
複数の前記フライト体が所定の間隔で固定された複数のチェーンリンクを連結軸によって枢着して無端に連結した一対の無端チェーンと、
前記沈殿池内に配設され、張架された前記無端チェーンを循環駆動させることによって前記池底に沈殿した汚泥を前記フライト体により掻き寄せる主務スプロケットホイール及び従動スプロケットホイールとを備え、
前記複数のチェーンリンクは、各々、
前記連結軸を挿入するための第１の貫通孔を有する筒状の基部と、
前記基部の両端から長手方向に対し垂直方向に左右対称に各々延在する一対のプレート部とを備え、
前記プレート部は、各々
前記基部とは反対側に連結軸を挿入するための第２の貫通孔と、前記第２の貫通孔の周囲を取り囲むようにして、前記プレート部同士が対向する内側主面に対して垂直方向に隆起した第１のリブ部を有することを特徴とする汚泥かき寄せ機。
【請求項２】
前記一対のプレート部は、各々、
前記外側主面に対して垂直方向に隆起し、前記第１の貫通孔から前記第２の貫通孔にかけて延在する第３のリブ部を有することを特徴とする請求項１に記載の汚泥かき寄せ機。
【請求項３】
前記無端チェーン、前記主務スプロケットホイール及び前記従動スプロケットホイールの各部材がＰＥＴ又はＰＥＮから選択される合成樹脂材料で構成されていることを特徴とする請求項１又は請求項２に記載の汚泥かき寄せ機。
【請求項４】
前記無端チェーン、前記主務スプロケットホイール及び前記従動スプロケットホイールの各部材を構成する合成樹脂が非着色の状態で透明又は半透明であることを特徴とする請求項３に記載の汚泥かき寄せ機。
【請求項５】
前記無端チェーン、前記主務スプロケットホイール及び前記従動スプロケットホイールの各部材を構成する合成樹脂が結晶化していないことを特徴とする請求項３又は請求項４に記載の汚泥かき寄せ機。
【請求項６】
複数のチェーンリンクを連結軸によって枢着して無端に連結した無端チェーンであって、
前記複数のチェーンリンクは、各々、
前記連結軸を挿入するための第１の貫通孔を有する筒状の基部と、
前記基部の両端から長手方向に対し垂直方向に左右対称に各々延在する一対のプレート部とを備え、
前記プレート部は、各々
前記基部とは反対側に連結軸を挿入するための第２の貫通孔と、前記第２の貫通孔の周囲を取り囲むようにして、前記プレート部同士が対向する内側主面に対して垂直方向に隆起した第１のリブ部を有することを特徴とする無端チェーン。
【請求項７】
前記連結軸を挿入するための第１の貫通孔を有する筒状の基部と、
前記基部の両端から長手方向に対し垂直方向に左右対称に各々延在する一対のプレート部とを備え、
前記プレート部は、各々
前記基部とは反対側に連結軸を挿入するための第２の貫通孔と、前記第２の貫通孔の周囲を取り囲むようにして、前記プレート部同士が対向する内側主面に対して垂直方向に隆起した第１のリブ部を有することを特徴とするチェーンリンク。
【発明の詳細な説明】
【技術分野】
【０００１】
本発明は、汚泥かき寄せ機、無端チェーン及びチェーンリンクに関し、特に、長尺のフライト体を、その長手方向に対して垂直な方向に走行させて、沈殿池の池底に堆積する汚泥を掻き寄せる汚泥かき寄せ機、無端チェーン及びチェーンリンクに関する。
【背景技術】
【０００２】
下水処理場では、下水道の汚水を浄化し、河川、湖沼または海へ放流している。下水処理場に入ってきた汚水は、スクリーンによりゴミが除去された後、ポンプで最初沈殿池に送られる。ここでは、主に比重差を利用して、重力沈降により御水中の沈殿しやすい汚れが除去される。次に、汚水は、生物反応槽に送られ、返送汚泥が加えられて高濃度の微生物によって有機物の吸着、摂取、消化分解が行われる。次に、汚水は、最終沈殿池に送られる。この最終沈殿池では、活性汚泥をゆっくり沈殿させ上澄みを河川、湖沼または海へ放流し、最終沈殿池の活性汚泥はポンプで生物反応槽に送られ再び使用される。
【０００３】
最終沈殿池では、汚泥かき寄せ機により、最終沈殿池の池底に堆積する汚泥がかき寄せられて集泥ピットに集められる。ここで、下水中には腐食成分が含まれていることから、最終沈殿池の池底に沈澱した汚泥には腐食成分が凝縮されている。このため、従来から汚泥かき寄せ機に腐食対策が行われている。
【０００４】
例えば、従来の汚泥かき寄せ機では、腐食を防止するために構成部材をステンレス製としている。しかしながら、汚泥かき寄せ機をステンレス製としても、フライト体内部に腐食成分が凝縮された汚泥が詰まり、経時的にそれが腐敗してくると、フライト体が内面から腐食する虞がある。
【０００５】
そこで、特許文献１に開示される発明では、ステンレス鋼で形成されて内部に中空部を有するフライト体において、フライト体の何れかの面に内部の中空部と連通する開口部を形成することが提案されている。また、この開口部は、掻寄背面に設けられることが好ましく、掻寄背面と両端面とに設けられることがさらに好ましいことが開示されている。
【先行技術文献】
【特許文献】
【０００６】
【特許文献１】特開２００４−２８３７８６号公報
【発明の概要】
【発明が解決しようとする課題】
【０００７】
しかしながら、特許文献１に開示される発明は、フライト体に開口部を設ける必要があるため、フライト体の製造工程が増加し、かき寄せ機の製造コストが増大する虞がある。また、かき寄せ機自体がステンレス鋼で構成されているが、ステンレス鋼が経年劣化により腐食する虞がある。また、ステンレス鋼は、重量が重く、その重量を支えるためにかき寄せ機の強度を上げる必要がある。さらに、ステンレス鋼自体の値段も高い。このため、さらに製造コストが増大する虞がある。
【０００８】
また、従来の汚泥かき寄せ機では、腐食を防止するために構成部材を樹脂製としたものがある。しかし、下水処理の汚泥は、硫化水素が含まれ強い腐食性を有している。この硫化水素の強い酸性による腐食を防止するため、従来の汚泥かき寄せ機では、樹脂としてＰＯＭ（ポリアセタール又はポリオキシメチレン）を使用することが多い。しかしながらＰＯＭは、耐酸性に優れるがホルムアルデヒドを含んでおり、このホルムアルデヒドが溶出するため上水の処理には使用することができないという問題がある。
【０００９】
本発明は、上記した課題を解決するためになされたものであり、十分な強度を有し、腐食に強く、かつ安価な汚泥かき寄せ機、無端チェーン及びチェーンリンクを提供することを目的とする。
【課題を解決するための手段】
【００１０】
上記の課題を解決すべく、本発明に係る汚泥かき寄せ機は、長尺のフライト体を、その長手方向に対して垂直な方向に走行させて、沈殿池の池底に堆積する汚泥を掻き寄せる汚泥かき寄せ機であって、複数の前記フライト体が所定の間隔で固定された複数のチェーンリンクを連結軸によって枢着して無端に連結した一対の無端チェーンと、前記沈殿池内に配設され、張架された前記無端チェーンを循環駆動させることによって前記池底に沈殿した汚泥を前記フライト体により掻き寄せる主務スプロケットホイール及び従動スプロケットホイールとを備え、前記複数のチェーンリンクは、各々、前記連結軸を挿入するための第１の貫通孔を有する筒状の基部と、前記基部の両端から長手方向に対し垂直方向に左右対称に各々延在する一対のプレート部とを備え、前記プレート部は、各々前記基部とは反対側に連結軸を挿入するための第２の貫通孔と、前記第２の貫通孔の周囲を取り囲むようにして、前記プレート部同士が対向する内側主面に対して垂直方向に隆起した第１のリブ部を有することを特徴とする。
【００１１】
上記のように本発明に係る汚泥かき寄せ機の各チェーンリンクを構成する一対のプレート部は、基部とは反対側に連結軸を挿入するための第２の貫通孔（ボス）を有し、この第２の貫通孔の周囲を取り囲むようにして、プレート部同士が対向する内側主面に対して垂直方向に隆起した第１のリブ部を有する。このチェーンリンクでは、力の掛かる連結軸を挿入する第２の貫通孔の周囲にプレート部同士が対向する内側主面に対して垂直方向に各々隆起した第１のリブ部を設けるようにしたので、十分な強度を得ることが出来る。
【００１２】
また、本発明に係る汚泥かき寄せ機の前記複数のチェーンリンクの前記一対のプレート部は、各々、前記外側主面に対して垂直方向に隆起し、前記第１の貫通孔から前記第２の貫通孔にかけて延在する第３のリブ部を有することを特徴とする。
【００１３】
上記のように本発明に係る汚泥かき寄せ機は、複数のチェーンリンクの一対のプレート部が、各々、外側主面に対して垂直方向に隆起し、第１の貫通孔から第２の貫通孔にかけて延在する第３のリブ部を有するので、さらに強度を高めることができる。
【００１４】
また、本発明に係る汚泥かき寄せ機の前記無端チェーン、前記主務スプロケットホイール及び前記従動スプロケットホイールの各部材がＰＥＴ又はＰＥＮから選択される合成樹脂材料で構成されていることを特徴とする。
【００１５】
上記のように本発明に係る汚泥かき寄せ機は、無端チェーン、主務スプロケットホイール及び従動スプロケットホイールの各部材がＰＥＴ又はＰＥＮから選択される合成樹脂材料で構成されている。このため、腐食に強く、かつ安価な汚泥かき寄せ機を提供することができる。また、ＰＥＴ、ＰＥＮは、有害物質（例えば、ホルムアルデヒド）を放出しないため、下水処理だけでなく上水処理においても使用することができる。
【００１６】
また、本発明に係る汚泥かき寄せ機の前記無端チェーン、前記主務スプロケットホイール及び前記従動スプロケットホイールの各部材を構成する合成樹脂が非着色の状態で透明又は半透明であることを特徴とする。
【００１７】
また、本発明に係る汚泥かき寄せ機の前記無端チェーン、前記主務スプロケットホイール及び前記従動スプロケットホイールの各部材を構成する合成樹脂が結晶化していないことを特徴とする。
【００１８】
ＰＥＴやＰＥＮは、非結晶状態では可視光に対して透明もしくは半透明（非着色状態の場合）であるが、結晶化すると非着色の状態で白色又は乳白色となる。ＰＥＴやＰＥＮが結晶化すると外力に対して弱くなり、割れや欠けが生じやすくなる。汚泥かき寄せ機の無端チェーン、主務スプロケットホイール及び従動スプロケットホイールには大きな力（通常５００Ｋｇ以上の力が加わり、製品性能として３０００Ｋｇの力が印加されても破断等しないことが求められる）が加わるため結晶化していないことが好ましい。本発明に係る汚泥かき寄せ機では、このような大きな力のかかる無端チェーン、主務スプロケットホイール及び従動スプロケットホイールの各部材を構成する合成樹脂に、非着色の状態で透明又は半透明である結晶化していないＰＥＴ又はＰＥＮを用いているので割れや欠けが生じにくく十分な強度を有した汚泥かき寄せ機を提供することができる。
【００１９】
本発明に係る無端チェーンは、複数のチェーンリンクを連結軸によって枢着して無端に連結した無端チェーンであって、前記複数のチェーンリンクは、各々、前記連結軸を挿入するための第１の貫通孔を有する筒状の基部と、前記基部の両端から長手方向に対し垂直方向に左右対称に各々延在する一対のプレート部とを備え、前記プレート部は、各々前記基部とは反対側に連結軸を挿入するための第２の貫通孔と、前記第２の貫通孔の周囲を取り囲むようにして、前記プレート部同士が対向する内側主面に対して垂直方向に隆起した第１のリブ部を有することを特徴とする。
【００２０】
上記のように本発明に係る無端チェーンは、各チェーンリンクを構成する一対のプレート部は、基部とは反対側に連結軸を挿入するための第２の貫通孔（ボス）を有し、この第２の貫通孔の周囲を取り囲むようにして、プレート部同士が対向する内側主面に対して垂直方向に隆起した第１のリブ部を有する。このチェーンリンクでは、力の掛かる連結軸を挿入する第２の貫通孔の周囲にプレート部同士が対向する内側主面に対して垂直方向に隆起した第１のリブ部を設けるようにしたので、十分な強度を得ることが出来る。
【００２１】
本発明に係るチェーンリンクは、前記連結軸を挿入するための第１の貫通孔を有する筒状の基部と、前記基部の両端から長手方向に対し垂直方向に左右対称に各々延在する一対のプレート部とを備え、前記プレート部は、各々前記基部とは反対側に連結軸を挿入するための第２の貫通孔と、前記第２の貫通孔の周囲を取り囲むようにして、前記プレート部同士が対向する内側主面に対して垂直方向に隆起した第１のリブ部を有することを特徴とする。
【００２２】
上記のように本発明に係るチェーンリンクは、一対のプレート部の基部とは反対側に連結軸を挿入するための第２の貫通孔（ボス）を有し、この第２の貫通孔の周囲を取り囲むようにして、プレート部同士が対向する内側主面に対して垂直方向に隆起した第１のリブ部を有する。このチェーンリンクでは、力の掛かる連結軸を挿入する第２の貫通孔の周囲にプレート部同士が対向する内側主面に対して垂直方向に隆起した第１のリブ部を設けるようにしたので、十分な強度を得ることが出来る。
【発明の効果】
【００２３】
以上説明したように、本発明によれば、十分な強度を有し、腐食に強く、かつ安価な汚泥かき寄せ機、無端チェーン及びチェーンリンクを提供することができる。
【図面の簡単な説明】
【００２４】
【図１】沈殿池及び汚泥かき寄せ機の断面図である。
【図２】スプロケットホイールの平面図である。
【図３】無端チェーンを構成するチェーンリンクの構成図である。
【図４】スプロケットホイールと無端チェーンとの噛み合いを示す図である。
【図５】支持部材の断面図である。
【図６】他の実施形態におけるスプロケットホイールと無端チェーンとの噛み合いを示す図である。
【発明を実施するための形態】
【００２５】
以下、図面を参照して本発明の実施形態を説明する。図１は、下水場における沈澱池Ａの縦断面を示した図である。沈殿池Ａ内には、実施形態に係る汚泥かき寄せ機１が設置されている。
【００２６】
図１に示すように、汚泥かき寄せ機１は、フライト体１００と、無端チェーン２００と、主務スプロケットホイール３００と、従動スプロケットホイール４００と、駆動手段５００とを備える。沈殿池Ａの左右壁には、それぞれ主務スプロケットホイール３００と、複数の従動スプロケットホイール４００とが設置されており、主務スプロケットホイール３００には、主務スプロケットホイール３００を駆動回転させるモータ５２０を備えた駆動装置（駆動手段）５００が動力伝達ベルト５１０を介して連結されている。
【００２７】
ここで、主務スプロケットホイール３００は、沈澱池Ａの長手方向端部における水面ＷＬ近くに支持部材６００により沈澱池Ａの壁面に支持され、１の従動スプロケットホイール４００は、沈澱池Ａの長手方向略中央における水面ＷＬ近くに支持され、他の従動スプロケットホイール４００は、沈澱池Ａの長手方向両端側における池底ＢＴ近くに支持部材６００により沈澱池Ａの壁面に支持されている。
【００２８】
無端チェーン２００は、沈殿池Ａの左右壁に夫々設けられた主務スプロケットホイール３００及び複数の従動スプロケットホイール４００に回動自在に張架された左右一対の無端チェーン２００からなり、複数のチェーンリンク２１０（図３参照）を連結軸によって枢着して無端に連結されている。
【００２９】
左右の無端チェーン２００には、所定の間隔で長尺のフライト体１００が架け渡されて固定されており、主務スプロケットホイール３００を回転動作させ、無端チェーン２００を沈殿池Ａ内で図１に向かって時計回り（ＣＷ）に循環駆動させることにより池底に沈殿した汚泥がフライト体１００により汚泥ピット（排出溝）１５へと掻き寄せられる。
【００３０】
ここで、本実施形態の汚泥かき寄せ機１の無端チェーン２００、主務スプロケットホイール３００及び従動スプロケットホイール４００の各部材は、ＰＥＴ（ポリエチレンテレフタラート）又はＰＥＮ（ポリエチレンナフタレート）から選択される合成樹脂材料から構成される。また、本実施形態に係る汚泥かき寄せ機１の無端チェーン２００、主務スプロケットホイール３００及び従動スプロケットホイール４００の各部材を構成する合成樹脂であるＰＥＴ又はＰＥＮは、非着色の状態で透明又は半透明であること、すなわち結晶化していないことが好ましい。
【００３１】
（スプロケットホイール）
図２は、主務スプロケットホイール３００の平面図である。以下、図２を参照して、主務スプロケットホイール３００の構成について説明する。図２に示すように、主務スプロケットホイール３００は、ＰＥＴ又はＰＥＮから選択される合成樹脂材料からなる円盤形状の部材であり、中央にシャフト（主軸）を通すための貫通孔３０１を有する。
【００３２】
主務スプロケットホイール３００は、円周上に所定の幅で形成された歯部３０２を有する。歯部３０２が無端チェーン２００と噛み合うことで、主務スプロケットホイール３００を回転動作させて無端チェーン２００を循環駆動させることができる。また、主務スプロケットホイール３００には、強度確保の観点から貫通孔３０１に周囲を取り囲むようにして隆起したリム部３０３と、該リム部３０３から主務スプロケットホイール３００の外周側（歯部３０２）に向かって延在する複数本のリム部３０４とが設けられている。なお、従動スプロケットホイール４００の構成は、主務スプロケットホイール３００の構成と同じであるため重複する説明は省略する。
【００３３】
（無端チェーン）
図３（ａ）は、無端チェーン２００を構成するチェーンリンク２１０の上面図である。図３（ｂ）は、無端チェーン２００を構成するチェーンリンク２１０の側面図である。以下、図３（ａ）及び図３（ｂ）を参照して、無端チェーン２００の構成について説明する。図３に示すように、無端チェーン２００は、複数のチェーンリンク２１０が連結されて構成される。各チェーンリンク２１０は、ＰＥＴ又はＰＥＮから選択される合成樹脂材料からなり、連結軸２４０（図４参照）を挿入するための第１の貫通孔２１０Ｈ（ボス）を有する筒状の基部２１１と、基部２１１の両端２１１Ａ，２１１Ｂから長手方向に対し垂直方向に左右対称に各々延在する一対のプレート部２２０，２３０とを備える。
【００３４】
プレート部２２０，２３０は、各々基部２１１とは反対側に連結軸２４０（図４参照）を挿入するための第２の貫通孔（ボス）２２０Ｈ，２３０Ｈと、第２の貫通孔２２０Ｈ，２３０Ｈの周囲を取り囲むようにして、プレート部２２０，２３０同士が対向する内側主面２２０Ａ，２３０Ａ及び内側主面２２０Ａ，２３０Ａと反対側の外側主面２２０Ｂ，２３０Ｂに対して垂直方向に各々隆起した第１のリブ部２２０Ｃ，２３０Ｃ及び第２のリブ部２２０Ｄ，２３０Ｄを有する。また、一対のプレート部２２０，２３０は、各々、外側主面２２０Ｂ，２３０Ｂに対して垂直方向に隆起し、第１の貫通孔２１０Ｈから第２の貫通孔２２０Ｈ，２３０Ｈにかけて延在する３本の第３のリブ部２２０Ｅ，２３０Ｅを有する。そして、無端チェーン２００の回転方向に対して上手側のチェーンリンク２１０の第２の貫通孔２２０Ｈ，２３０Ｈと、下手側のチェーンリンク２１０の第１の貫通孔２１０Ｈとを連結軸２４０（図４参照）により枢着して無端に連結することで無端チェーン２００を得ることができる。
【００３５】
ここで、基部２１１に設けられた第１の貫通孔２１０Ｈ（ボス）から基部２１１とは反対側に設けられた連結軸２４０を挿入するための第２の貫通孔（ボス）２２０Ｈ，２３０Ｈまでの直線距離Ｌ１は約１５２．４ｍｍである。また、チェーンリンク２１０の強度を確保するために、一対のプレート部２２０，２３０の前端部Ｔ１の厚みＤ１は、７ｍｍ以上であることが好ましく、後端部Ｔ２の厚みＤ２は、５ｍｍ以上であることが好ましい。
【００３６】
また、一対のプレート部２２０，２３０の第２の貫通孔２２０Ｈ，２３０Ｈの周囲を取り囲むようにして、プレート部２２０，２３０同士が対向する内側主面２２０Ａ，２３０Ａに対して垂直方向に各々隆起した第１のリブ部２２０Ｃ，２３０Ｃの厚みＤ３は、０．５ｍｍ〜１．５ｍｍの範囲であることが好ましい。ここで、第１のリブ部２２０Ｃ，２３０Ｃは、その断面形状が台形状となっており、該台形の最上面が所定の幅を有する平坦面となっている。
【００３７】
図４は、スプロケットホイールと無端チェーンとの噛み合いを示す図である。図４に示すように、チェーンリンク２１０を連結した際にできる隙間２１０Ｓ（図３参照）に主務スプロケットホイール３００の円周上に所定の幅で形成された歯部３０２が入り込んで噛み合うことにより、図１に示すように、主務スプロケットホイール３００の回転に伴い無端チェーン２００が沈殿池Ａ内で図１に向かって時計回り（ＣＷ）に循環駆動することにより池底に沈殿した汚泥がフライト体１００により汚泥ピット（排出溝）１５へと掻き寄せられる。
【００３８】
図５は、支持部材６００の断面図である。支持部材６００は、底部６００Ｓが沈澱池Ａの壁面に固定され、上部には主務スプロケットホイール３００又は従動スプロケットホイール４００を回転自在に係合するための括れ部６１０が設けられている。支持部材６００は、強度を確保するために括れ部６１０の厚みＤ１が１２ｍｍ以上、肩部６２０の厚みＤ２が１５ｍｍ以上、本体部６３０の厚みＤ３が１３ｍｍ以上であることが好ましい。なお、支持部材６００は、主務スプロケットホイール３００又は従動スプロケットホイール４００が回転摺動することからこすれ音が発生する虞がある。そのような場合は、支持部材６００や主務スプロケットホイール３００、従動スプロケットホイール４００を摺動性に優れる材料、例えば、樹脂ベアリング等に使用されるＵＨＭＷ（超高分子量ポリエチレン）で構成するようにしてもよい。
【００３９】
以上のように、本実施形態に係る汚泥かき寄せ機１は、長尺のフライト体１００を、その長手方向に対して垂直な方向に走行させて、沈殿池Ａの池底ＢＴに堆積する汚泥を掻き寄せる汚泥かき寄せ機１である。汚泥かき寄せ機１は、複数のフライト体１００が所定の間隔で固定された複数のチェーンリンク２１０を連結軸によって枢着して無端に連結した一対の無端チェーン２００と、沈殿池内に配設され、張架された無端チェーン２００を循環駆動させることによって池底ＢＴに沈殿した汚泥をフライト体１００により掻き寄せる主務スプロケットホイール３００及び従動スプロケットホイール４００とを備える。
【００４０】
そして、汚泥かき寄せ機１は、無端チェーン２００、主務スプロケットホイール３００及び従動スプロケットホイール４００の各部材がＰＥＴ又はＰＥＮから選択される合成樹脂材料で構成されている。このため、汚泥かき寄せ機１は、腐食に強く、かつ安価となる。また、ステンレス鋼で構成される汚泥かき寄せ機よりも重量が軽いため、現場での施工期間も短縮することができ、施工費用も従来と比して安価となる。また、ＰＥＴ、ＰＥＮは、ＰＯＭ（ポリアセタール又はポリオキシメチレン）のようにホルムアルデヒドのような有害物質を放出しないため、下水処理だけでなく、上水処理においても使用することができる。
【００４１】
また、本実施形態に係る汚泥かき寄せ機１の複数のチェーンリンク２１０は、各々、連結軸２４０を挿入するための第１の貫通孔（ボス）２１０Ｈを有する筒状の基部２１１と、基部２１１の両端２１１Ａ，２１１Ｂから長手方向に対し垂直方向に左右対称に各々延在する一対のプレート部２２０，２３０とを備える。
【００４２】
そして、プレート部２２０，２３０は、各々基部２１１とは反対側に連結軸２４０を挿入するための第２の貫通孔（ボス）２２０Ｈ，２３０Ｈと、第２の貫通孔２２０Ｈ，２３０Ｈの周囲を取り囲むようにして、プレート部２２０，２３０同士が対向する内側主面
２２０Ａ，２３０Ａ及び内側主面２２０Ａ，２３０Ａと反対側の外側主面２２０Ｂ，２３０Ｂに対して垂直方向に各々隆起した第１，第２のリブ部２２０Ｃ，２３０Ｃを有することを特徴とする。
【００４３】
上記のように本実施形態に係る汚泥かき寄せ機１の各チェーンリンク２１０を構成する一対のプレート部２２０，２３０は、基部２１１とは反対側に連結軸２４０を挿入するための第２の貫通孔（ボス）２２０Ｈ，２３０Ｈを有している。そして、この第２の貫通孔２２０Ｈ，２３０Ｈの周囲を取り囲むようにして、プレート部２２０，２３０同士が対向する内側主面２２０Ａ，２３０Ａ及び内側主面２２０Ａ，２３０Ａと反対側の外側主面２２０Ｂ，２３０Ｂに対して垂直方向に各々隆起した第１のリブ部２２０Ｃ，２３０Ｃ及び第２のリブ部２２０Ｄ，２３０Ｄを有する。このため、チェーンリンク２１０の各部材が合成樹脂材料で構成されていても十分な強度を得ることが出来る。
【００４４】
また、本実施形態に係る汚泥かき寄せ機１の複数のチェーンリンク２１０の一対のプレート部２２０，２３０は、各々、外側主面２２０Ｂ，２３０Ｂに対して垂直方向に隆起し、第１の貫通孔２１０Ｈから第２の貫通孔２２０Ｈ，２３０Ｈにかけて延在する第３のリブ部２２０Ｅ，２３０Ｅを有するので、さらに強度を高めることができる。
【００４５】
また、本実施形態に係る汚泥かき寄せ機１の無端チェーン２００、主務スプロケットホイール３００及び従動スプロケットホイール４００の各部材を構成する合成樹脂であるＰＥＴ又はＰＥＮは非着色の状態で透明又は半透明であること、すなわち結晶化していないことが好ましい。
【００４６】
ＰＥＴやＰＥＮは、非結晶状態では可視光に対して透明もしくは半透明（非着色状態の場合）であるが、結晶化すると非着色の状態で白色又は乳白色となる。ＰＥＴやＰＥＮが結晶化すると外力に対して弱くなり、割れや欠けが生じやすくなる。汚泥かき寄せ機の無端チェーン２００、主務スプロケットホイール３００及び従動スプロケットホイール４００には大きな力（通常５００Ｋｇ以上の力が加わり、製品性能として３０００Ｋｇの力が印加されても破断等しないことが求められる）が加わるため結晶化していないことが好ましい。
【００４７】
なお、この実施形態でいう「非結晶状態（結晶化していない状態）」とは、実用状態において非結晶状態または結晶化度が相当低い、あるいは結晶サイズが微細である、などの場合のことを言い、該場合においてＰＥＴやＰＥＮが透明プラスチックとなる。一方、実用状態である程度結晶化度が高くなっている場合は不透明プラスチックとなる。これは、ポリマーは大きな分子なので全体が結晶化することは殆ど不可能であり、全体としては微結晶と非結晶の部分が混在し、その結晶と非結晶部の屈折率が異なるため、その界面で光の屈折や乱反射が起こり、その結果全体として不透明になると考えられる。
【００４８】
このような大きな力のかかる無端チェーン２００、主務スプロケットホイール３００及び従動スプロケットホイール４００の各部材を構成する合成樹脂に、非着色状態で透明又は半透明である結晶化していないＰＥＴ又はＰＥＮを用いることで割れや欠けが生じにくく十分な強度を有した汚泥かき寄せ機１を提供することができる。
【００４９】
さらに、本実施形態に係る汚泥かき寄せ機１の無端チェーン２００を構成するチェーンリンク２１０が備える一対のプレート部２２０，２３０の前端部Ｔ１の厚みＤ１は、７ｍｍ以上であり、後端部Ｔ２の厚みＤ１は、５ｍｍ以上である。このため、大きな力のかかるチェーンリンク２１０に十分な強度を確保することができ、無端チェーン２００に切断等の不具合が生じる虞を抑制することができる。
【００５０】
また、本実施形態に係る汚泥かき寄せ機１は、無端チェーン２００を構成するチェーンリンク２１０が備える一対のプレート部２２０，２３０の第２の貫通孔２２０Ｈ，２３０Ｈの周囲を取り囲むようにして、プレート部２２０，２３０同士が対向する内側主面２２０Ａ，２３０Ａに対して垂直方向に各々隆起した厚みＤ３が０．５ｍｍ〜１．５ｍｍの第１のリブ部２２０Ｃ，２３０Ｃを設け、該第１のリブ部２２０Ｃ，２３０Ｃは、その断面形状が台形状となっており、該台形の最上面が所定の幅を有する平坦面となっている。
【００５１】
このため、無端チェーン２００の長手方向に対して平行に力がかかるようになり、チェーンリンク２１０に捩れや拗れ等、ななめ方向に無理な力がかかることを効果的に抑制することができる。このため無端チェーン２００に切断等の不具合が生じる虞をより効果的に抑制することができる。
【００５２】
（その他の実施形態）
図６は、他の実施形態におけるスプロケットホイールと無端チェーンとの噛み合いを示す図である。上記実施形態では、図４に示すように、チェーンリンク２１０を連結した際にできる隙間２１０Ｓに主務スプロケットホイール３００の円周上に所定の幅で形成された歯部３０２が入り込んで噛み合う構成とした。
【００５３】
しかし、スプロケットホイールと無端チェーンとの噛み合い上記実施形態に限られず、例えば、図６に示すように、無端チェーン２００を構成するチェーンリンク２１０の下部に窪み（ノッチ）２１０Ｎを設け、このチェーンリンク２１０の下部に窪み（ノッチ）２１０Ｎに主務スプロケットホイール３００が備える係合ピン３００Ｐが係合し、チェーンリンク２１０に主務スプロケットホイール３００の回転力が伝達される構成としてもよい。
【００５４】
以上説明したように、本発明に係る汚泥かき寄せ機によれば、十分な強度を有し、腐食に強く、かつ安価な汚泥かき寄せ機を提供することができる。
【産業上の利用可能性】
【００５５】
以上で説明したように、本発明は、十分な強度を有し、腐食に強く、かつ安価な汚泥かき寄せ機を提供することができる。このため、下水処理場において、最終沈殿池の池底に堆積する汚泥をかき寄せて集泥ピットに集める汚泥かき寄せ機に好適である。また、合成樹脂材料として、ＰＥＴ又はＰＥＮを用いているので上水場においても使用することができる。
【符号の説明】
【００５６】
１  汚泥かき寄せ機
１５  汚泥ピット（排出溝）
１００  フライト体
２００  無端チェーン
２１０  チェーンリンク
２１０Ｈ  第１の貫通孔（ボス）
２１１  基部
２１１Ａ，２１１Ｂ  基部の端部
２２０，２３０  プレート部
２２０Ｈ，２３０Ｈ  第２の貫通孔（ボス）
２２０Ａ，２３０Ａ  内側主面
２２０Ｂ，２３０Ｂ  外側主面
２２０Ｃ，２３０Ｃ  第１のリブ部
２２０Ｄ，２３０Ｄ  第２のリブ部
２２０Ｅ，２３０Ｅ  第３のリブ部
２４０  連結軸
３００  主務スプロケットホイール
３０１  貫通孔
３０２  歯部
４００  従動スプロケットホイール
５００  駆動手段
５１０  伝達ベルト
５２０  モータ
６００  支持部材
６１０  括れ部
６２０  肩部
６３０  本体部
６００Ｓ  底部
Ａ  沈澱池
ＷＬ  水面
ＢＴ  底面
【図１】
2018099688.tif 000003
【図２】
2018099688.tif 000004
【図３】
2018099688.tif 000005
【図４】
2018099688.tif 000006
【図５】
2018099688.tif 000007
【図６】
2018099688.tif 000008